【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】
光ディスクであって、
動画データと、
動画データ内の少なくとも2つの再生区間を特定する少なくとも2つの再生区間情報と、
動画データにおいて先行する側の再生区間の終端近傍部と、後続する側の再生区間の先端近傍部とを複製することにより得られた複製部分と、
フラグとが記録されており、
前記複製部分は加工が施されるべき部分であり、
前記フラグは、オンに設定されることにより、先行再生区間における終端近傍部以前の部分と、後続再生区間の先端近傍部以降の部分とを、前記複製部分を経由して再生する旨を示し、オフに設定された場合、複製部分を経由せずに先行再生区間及び後続再生区間を順次再生する旨を示す
ことを特徴とする光ディスク。
【請求項２】
前記光ディスクには、一時的区間情報が記録されており、
前記一時的区間情報は、複製部分において再生区間が何処から何処までであるかを示し、
前記再生区間情報は、一時的区間情報へのリンク情報が付加されて記録されていることを特徴とする請求項１記載の光ディスク。
【請求項３】
前記動画データは、圧縮符号化されたピクチャデータ列であり、前記加工とは、先行再生区間に含まれる最後のピクチャデータと、後続再生区間に含まれる先頭のピクチャデータとをシームレスに再生させるための加工である
ことを特徴とする請求項１記載の光ディスク。
【請求項４】
前記動画データは、ピクチャデータ列であり、前記再生区間情報は、ピクチャデータ1つ当たりの表示期間の時間精度により、再生区間の始点及び終点を指定するポインタ情報を含むことを特徴とする請求項１記載の光ディスク。
【請求項５】
前記光ディスクには、終端近傍部の直前に位置するピクチャデータ、及び、先端近傍部の直後に位置するピクチャデータを指定するポインタ情報が記録されていることを特徴とする請求項４記載の光ディスク。
【請求項６】
前記各ピクチャデータは、前後のピクチャデータとの相関性に基づき、圧縮符号化されており、前記複製部分は、圧縮符号化単位となるピクチャデータのグループを少なくとも1つ含むことを特徴とする請求項４記載の光ディスク。
【請求項７】
動画データが記録された光ディスクについての記録装置であって、
動画データの内部から少なくとも2つの再生区間を特定する操作を、操作者から受け付ける受付手段と、
動画データにおいて先行する側の再生区間の終端近傍部と、後続する側の再生区間の先端近傍部とを複製し、複製部分を光ディスクに書き込む複製手段と、
フラグを光ディスクに書き込む書込手段とを備え、
前記複製部分は、加工が施されるべき部分であり、前記フラグは、オンに設定されることにより、先行再生区間における終端近傍部以前の部分と、後続再生区間の先端近傍部以降の部分とを、前記複製部分を経由して再生する旨を示し、オフに設定された場合、複製部分を経由せずに先行再生区間及び後続再生区間を順次再生する旨を示すことを特徴とする記録装置。
【請求項８】
前記記録装置は、終端近傍部と、先端近傍部との和が所定のサイズを下回るか否かを判定する判定手段を備え、
前記複製手段が複製部分を光ディスクに書き込むのは、終端近傍部と、先端近傍部との和が所定のサイズを下回ると判定した場合のみであることを特徴とする請求項７記載の記録装置。
【請求項９】
前記動画データは、圧縮符号化されたピクチャデータ列であり、前記加工とは、先行再生区間に含まれるピクチャデータと、後続再生区間に含まれるピクチャデータとをシームレスに再生させるための加工であり、前記複製手段は、先行再生区間に含まれる複数ピクチャデータ、及び、後続再生区間に含まれる複数ピクチャデータのうち、加工が必要な全てのものを複製して、光ディスクに書き込むことを特徴とする請求項７記載の記録装置。
【請求項１０】
前記複製手段は、光ディスク上における連続長が所定長以上になるように、複数の複製部分を連結した上で光ディスクに書き込むことを特徴とする請求項７記載の記録装置。
【請求項１１】
動画データと、動画データ内の少なくとも2つの再生区間を特定する少なくとも2つの再生区間情報と、少なくとも2つの再生区間のうち先行する側の再生区間の終端近傍部と、後続する側の再生区間の先端近傍部とを複製することにより得られた複製部分と、フラグとが記録された光ディスクについての再生装置であって、
フラグを参照する参照手段と、
前記フラグがオンを示しているなら、先行再生区間における終端近傍部以前の部分と、後続再生区間の先端近傍部以降の部分とを、前記複製部分を経由して再生し、フラグがオフを示しているなら、前記複製部分を経由せずに先行再生区間及び後続再生区間を順次再生する再生手段と
を備えることを特徴とする再生装置。
【請求項１２】
動画データが記録された光ディスクについての手順をコンピュータに行わせるプログラムであって、
動画データ内から少なくとも2つの再生区間を特定する操作を、操作者から受け付ける受付ステップと、
動画データにおいて先行する側の再生区間の終端近傍部と、後続する側の再生区間の先端近傍部とを複製し、複製部分を光ディスクに書き込む複製ステップと、
フラグを光ディスクに書き込む書込ステップとを備え、
前記複製部分は、加工が施されるべき部分であり、前記フラグは、オンに設定されることにより、先行再生区間における終端近傍部以前の部分と、後続再生区間の先端近傍部以降の部分とを、前記複製部分を経由して再生する旨を示し、オフに設定された場合、複製部分を経由せずに先行再生区間及び後続再生区間を順次再生する旨を示す
ことを特徴とするプログラム。
【請求項１３】
前記請求項１２記載のプログラムが記録されていることを特徴とするコンピュータ読み取り可能な記録媒体。
【請求項１４】
動画データと、動画データ内の少なくとも2つの再生区間を特定する少なくとも2つの再生区間情報と、少なくとも2つの再生区間のうち先行する側の再生区間の終端近傍部と、後続する側の再生区間の先端近傍部とを複製することにより得られた複製部分と、フラグとが記録された光ディスクについての再生手順をコンピュータに行わせるプログラムであって、
フラグを参照する参照ステップと、
前記フラグがオンを示しているなら、先行再生区間における終端近傍部以前の部分と、後続再生区間の先端近傍部以降の部分とを、前記複製部分を経由して再生し、フラグがオフを示しているなら、前記複製部分を経由せずに先行再生区間及び後続再生区間を順次再生する再生ステップと
を有するプログラム。
【請求項１５】
前記請求項１４記載のプログラムが記録されていることを特徴とするコンピュータ読み取り可能な記録媒体。
【請求項１６】
動画データが記録された光ディスクについての記録方法であって、
動画データ内から少なくとも2つの再生区間を特定する操作を、操作者から受け付ける受付ステップと、
動画データにおいて先行する側の再生区間の終端近傍部と、後続する側の再生区間の先端近傍部とを複製し、複製部分を光ディスクに書き込む複製ステップと、
フラグを光ディスクに書き込む書込ステップとを備え、
前記複製部分は、加工が施されるべき部分であり、前記フラグは、オンに設定されることにより、先行再生区間における終端近傍部以前の部分と、後続再生区間の先端近傍部以降の部分とを、前記複製部分を経由して再生する旨を示し、オフに設定された場合、複製部分を経由せずに先行再生区間及び後続再生区間を順次再生する旨を示す
ことを特徴とする記録方法。
【請求項１７】
動画データと、動画データ内の少なくとも2つの再生区間を特定する少なくとも2つの再生区間情報と、少なくとも2つの再生区間のうち先行する側の再生区間の終端近傍部と、後続する側の再生区間の先端近傍部とを複製することにより得られた複製部分と、フラグとが記録された光ディスクについての再生方法であって、
フラグを参照する参照ステップと、
前記フラグがオンを示しているなら、先行再生区間における終端近傍部以前の部分と、後続再生区間の先端近傍部以降の部分とを、前記複製部分を経由して再生し、フラグがオフを示しているなら、前記複製部分を経由せずに先行再生区間及び後続再生区間を順次再生する再生ステップとを有する
ことを特徴とする再生方法。